(57)【要約】【課題】新規プロジェクトの構築に際しての新規テンプレートの作成をコンピュータの利用により効率よく行うことでプロジェクトの構築を容易になし得るプロジェクト構築支援プログラム及びプロジェクト構築支援システムを提供する。【解決手段】パーソナルコンピュータからなるプロジェクト管理装置が有する表示部にはエクセル画面からなる処理画面４０が表示され、その処理画面４０上には複数のエクセルファイル４１，４２，４３の各データ内容が入力手段の操作に基づき加工処理可能な表示態様で貼付け表示されている。これらの各エクセルファイル４１，４２，４３は編集処理が簡単なＣＳＶファイル形式で各データ内容が定義されている。そのため、エクセルファイル４１及びエクセルファイル４２に定義された各選択テンプレートＴｅｍｐＡ，ＴｅｍｐＢの各データ内容を利用してエクセルファイル４３に新規テンプレートを容易に作成できる。【選択図】図６
2009003771.tif 000002
【特許請求の範囲】
【請求項１】
複数の作業項目情報を含んだテンプレートが作成されるプロジェクトの構築をコンピュータの利用により支援するためにコンピュータに所定の機能を発揮させるプロジェクト構築支援プログラムにおいて、
コンピュータを、
複数のプロジェクトに各々対応した複数のテンプレートであって対応するプロジェクトに関する作業項目情報を各々含んでなる複数のテンプレートを、該各テンプレートが記憶されたテンプレート記憶手段から読み出すテンプレート読み出し手段と、
該テンプレート読み出し手段により読み出された前記各テンプレートのうち少なくとも２つのテンプレートを入力手段の操作に基づく前記作業項目情報の加工処理を可能とする処理画面上に表示する処理画面表示手段と、
該表示手段の前記処理画面上において前記入力手段の操作に従い前記少なくとも２つのテンプレートの各作業項目情報を利用した新規テンプレートを作成するテンプレート作成手段として機能させることを特徴とするプロジェクト構築支援プログラム。
【請求項２】
前記コンピュータを、更に、
前記テンプレート読み出し手段により読み出された前記各テンプレートを前記処理画面とは異なる選択画面上に前記入力手段の操作に基づき選択可能とする表示態様で表示する選択画面表示手段と、
該表示手段の前記選択画面上において前記入力手段の操作に基づき選択されたテンプレートを一時記憶手段に一時記憶させた後に該一時記憶手段から読み出して前記処理画面上に表示させる表示制御手段として機能させることを特徴とする請求項１に記載のプロジェクト構築支援プログラム。
【請求項３】
前記選択画面表示手段は、前記選択画面上に選択可能に表示された各テンプレートのうち前記入力手段の操作に基づき選択対象とされたテンプレートに含まれる作業項目情報を前記選択画面上に設けられたテンプレート詳細欄に表示可能とされ、
前記表示制御手段は、前記選択対象とされたテンプレートが前記入力手段の操作に基づき選択確定のテンプレートとされた場合に該テンプレートを前記処理画面上に表示させることを特徴とする請求項２に記載のプロジェクト構築支援プログラム。
【請求項４】
前記選択画面表示手段は、前記選択画面上の前記テンプレート詳細欄に前記テンプレートの作業項目情報を表示する場合、該テンプレートの作業項目情報を前記入力手段の操作に基づき加工処理可能とする表示態様で表示することを特徴とする請求項３に記載のプロジェクト構築支援プログラム。
【請求項５】
前記コンピュータに、更に、
前記画面上において前記入力手段の操作に基づく加工処理により新規に作成された新規テンプレートを前記入力手段の操作に基づき前記テンプレート記憶手段に登録するテンプレート登録手段として機能させることを特徴とする請求項１〜請求項４のうち何れか一項に記載のプロジェクト構築支援プログラム。
【請求項６】
前記テンプレートは、該テンプレートに含まれる作業項目情報がＣＳＶファイル形式で定義されていることを特徴とする請求項１〜請求項５のうち何れか一項に記載のプロジェクト構築支援プログラム。
【請求項７】
複数の作業項目情報を含んだテンプレートが作成されるプロジェクトの構築を支援するためのプロジェクト構築支援システムにおいて、
複数のプロジェクトに各々対応した複数のテンプレートであって対応するプロジェクトに関する作業項目情報を各々含んでなる複数のテンプレートを、該各テンプレートが記憶されたテンプレート記憶手段から読み出すテンプレート読み出し手段と、
該テンプレート読み出し手段により読み出された前記各テンプレートのうち少なくとも２つのテンプレートを入力手段の操作に基づく前記作業項目情報の加工処理を可能とする処理画面上に表示する処理画面表示手段と、
該表示手段の前記処理画面上において前記入力手段の操作に従い前記少なくとも２つのテンプレートの各作業項目情報を利用した新規テンプレートを作成するテンプレート作成手段とを備えたことを特徴とするプロジェクト構築支援システム。
【請求項８】
前記テンプレート読み出し手段により読み出された前記各テンプレートを前記処理画面とは異なる選択画面上に前記入力手段の操作に基づき選択可能とする表示態様で表示する選択画面表示手段と、
該表示手段の前記選択画面上において前記入力手段の操作に基づき選択されたテンプレートを一時記憶手段に一時記憶させた後に該一時記憶手段から読み出して前記処理画面上に表示させる表示制御手段とを更に備えたことを特徴とする請求項７に記載のプロジェクト構築支援システム。
【請求項９】
前記選択画面表示手段は、前記選択画面上に選択可能に表示された各テンプレートのうち前記入力手段の操作に基づき選択対象とされたテンプレートに含まれる作業項目情報を前記選択画面上に設けられたテンプレート詳細欄に表示可能とされ、
前記表示制御手段は、前記選択対象とされたテンプレートが前記入力手段の操作に基づき選択確定のテンプレートとされた場合に該テンプレートを前記処理画面上に表示させることを特徴とする請求項８に記載のプロジェクト構築支援システム。
【請求項１０】
前記選択画面表示手段は、前記選択画面上の前記テンプレート詳細欄に前記テンプレートの作業項目情報を表示する場合、該テンプレートの作業項目情報を前記入力手段の操作に基づき加工処理可能とする表示態様で表示することを特徴とする請求項９に記載のプロジェクト構築支援システム。
【請求項１１】
前記画面上において前記入力手段の操作に基づく加工処理により新規に作成された新規テンプレートを前記入力手段の操作に基づき前記テンプレート記憶手段に登録するテンプレート登録手段として機能させることを特徴とする請求項７〜請求項１０のうち何れか一項に記載のプロジェクト構築支援システム。
【請求項１２】
前記テンプレートは、該テンプレートに含まれる作業項目情報がＣＳＶファイル形式で定義されていることを特徴とする請求項７〜請求項１１のうち何れか一項に記載のプロジェクト構築支援システム。
【発明の詳細な説明】
【技術分野】
【０００１】
本発明は、複数の作業項目情報を含んだテンプレートが作成されるプロジェクトの構築をコンピュータの利用により支援するためのプロジェクト構築支援プログラム及びプロジェクト構築支援システムに関する。
【背景技術】
【０００２】
一般に、企業内では企業ニーズに沿った幾つかのプロジェクトが構築される。こうしたプロジェクトは、複数の作業項目からなり、各作業項目は項目毎に所要工数や期間が設定されて時系列的にテンプレートに表される。新規プロジェクトが構築される場合には、こうしたテンプレートが作成されるが、その作成にあたり予めデータベースに蓄積されている過去のプロジェクトであって且つ今回のプロジェクトに類似したプロジェクトのテンプレートを参考にすれば、新規プロジェクトの構築に便利である。
【０００３】
そこで、例えば特許文献１に示すように、予めデータベースに蓄積された過去における類似プロジェクトのテンプレートを参考にして今回のプロジェクトの新規テンプレートを作成するようにした技術が提案されている。すなわち、この特許文献１では、データベースから類似プロジェクトのテンプレートが参考テンプレートとして選択されると、その参考テンプレートが表示手段の画面上に表示されるようになっている。そして、その表示された参考テンプレートにおける作業項目情報（作業項目の項目名や工数及び期間など）が今回のプロジェクトに適合した作業項目情報に変更されたり、また、必要に応じて追加・削除がされたりすることによって、その参考テンプレートが新規プロジェクト用の新規テンプレートに改変されて登録されるようになっている。
【特許文献１】特開２００５−３３８９６８号公報
【発明の開示】
【発明が解決しようとする課題】
【０００４】
ところで、新規プロジェクトのテンプレートを作成する際において、参考にしたい過去におけるテンプレートは一つだけとは限らない。しかしながら、特許文献１の技術では、そうした幾つかある過去のテンプレートのうちから任意の一つしか選択できない構成になっている。そして、選択された一つの参考テンプレートの内容を表示手段の画面上に表示させ、その画面上で今回のプロジェクトに適合した新規テンプレートとなるように作業項目情報の変更・追加・削除の手入力作業を行って新規テンプレートを作成するようにしている。
【０００５】
そのため、今回のプロジェクトに作業項目数が多く含まれる場合は、参考テンプレートとして読み出した一つのテンプレートに対する変更・追加・削除に係る手入力作業が増加してしまい、新規テンプレートの作成作業が煩雑になり、その結果、新規プロジェクトの構築が面倒になるという問題があった。
【０００６】
本発明は、こうした事情に鑑みてなされたものであり、その目的は、新規プロジェクトの構築に際しての新規テンプレートの作成をコンピュータの利用により効率よく行うことでプロジェクトの構築を容易になし得るプロジェクト構築支援プログラム及びプロジェクト構築支援システムを提供することにある。
【課題を解決するための手段】
【０００７】
上記目的を達成するために、プロジェクト構築支援プログラムに係る請求項１に記載の発明は、複数の作業項目情報を含んだテンプレートが作成されるプロジェクトの構築をコンピュータの利用により支援するためにコンピュータに所定の機能を発揮させるプロジェクト構築支援プログラムにおいて、コンピュータを、複数のプロジェクトに各々対応した複数のテンプレートであって対応するプロジェクトに関する作業項目情報を各々含んでなる複数のテンプレートを、該各テンプレートが記憶されたテンプレート記憶手段から読み出すテンプレート読み出し手段と、該テンプレート読み出し手段により読み出された前記各テンプレートのうち少なくとも２つのテンプレートを入力手段の操作に基づく前記作業項目情報の加工処理を可能とする処理画面上に表示する処理画面表示手段と、該表示手段の前記処理画面上において前記入力手段の操作に従い前記少なくとも２つのテンプレートの各作業項目情報を利用した新規テンプレートを作成するテンプレート作成手段として機能させることを特徴とする。
【０００８】
この発明によれば、処理画面表示手段の処理画面上において、テンプレート作成手段が入力手段の操作に基づき、その処理画面上に表示された少なくとも２つのテンプレートの各作業項目情報を利用して、今回のプロジェクトに適合した作業項目情報を含んだ新規テンプレートを簡便に作成することができるようになる。したがって、プロジェクトの構築に際しての新規テンプレートの作成をコンピュータの利用により効率よく行うことができ、プロジェクトの構築を容易になし得る。
【０００９】
また、請求項２に記載の発明は、請求項１に記載のプロジェクト構築支援プログラムにおいて、前記コンピュータを、更に、前記テンプレート読み出し手段により読み出された前記各テンプレートを前記処理画面とは異なる選択画面上に前記入力手段の操作に基づき選択可能とする表示態様で表示する選択画面表示手段と、該表示手段の前記選択画面上において前記入力手段の操作に基づき選択されたテンプレートを一時記憶手段に一時記憶させた後に該一時記憶手段から読み出して前記処理画面上に表示させる表示制御手段として機能させることを特徴とする。
【００１０】
この発明によれば、テンプレート読み出し手段により読み出された複数のテンプレートが選択画面表示手段の選択画面上に選択可能に表示され、選択されたテンプレートは一時記憶手段を経由して処理画面上に表示される。そのため、新規テンプレートの作成に利用可能なテンプレートを選択画面上で選択することにより、新規テンプレートの作成効率を向上することができる。
【００１１】
また、請求項３に記載の発明は、請求項２に記載のプロジェクト構築支援プログラムにおいて、前記選択画面表示手段は、前記選択画面上に選択可能に表示された各テンプレートのうち前記入力手段の操作に基づき選択対象とされたテンプレートに含まれる作業項目情報を前記選択画面上に設けられたテンプレート詳細欄に表示可能とされ、前記表示制御手段は、前記選択対象とされたテンプレートが前記入力手段の操作に基づき選択確定のテンプレートとされた場合に該テンプレートを前記処理画面上に表示させることを特徴とする。
【００１２】
この発明によれば、選択画面上に選択可能に表示された各テンプレートのうち入力手段の操作に基づき選択対象としたテンプレートの作業項目情報をテンプレート詳細欄の表示により確認でき、その選択対象としたテンプレートは入力手段の操作に基づき選択確定とされた場合に処理画面上に表示されるようになる。したがって、新規テンプレートの作成に利用するテンプレートを、そのテンプレートの作業項目情報を確認した上で、処理画面上に表示させることができるので、今回のプロジェクトに係る新規テンプレートの作成に利用価値の高いテンプレートを効率よく選択できるようになる。
【００１３】
また、請求項４に記載の発明は、請求項３に記載のプロジェクト構築支援プログラムにおいて、前記選択画面表示手段は、前記選択画面上の前記テンプレート詳細欄に前記テンプレートの作業項目情報を表示する場合、該テンプレートの作業項目情報を前記入力手段の操作に基づき加工処理可能とする表示態様で表示することを特徴とする。
【００１４】
この発明によれば、選択画面上で選択したテンプレートの作業項目情報を入力手段の操作に基づく少しの手入力による加工処理で新規テンプレートを作成できるような場合には処理画面表示手段の処理画面上での加工処理を経ることなく選択画面表示手段の選択画面上において簡便に新規テンプレートの作成をすますことができる。
【００１５】
また、請求項５に記載の発明は、請求項１〜請求項４のうち何れか一項に記載のプロジェクト構築支援プログラムにおいて、前記コンピュータに、更に、前記画面上において前記入力手段の操作に基づく加工処理により新規に作成された新規テンプレートを前記入力手段の操作に基づき前記テンプレート記憶手段に登録するテンプレート登録手段として機能させることを特徴とする。
【００１６】
この発明によれば、新規プロジェクトのテンプレートとして作成した新規テンプレートをテンプレート登録手段によりテンプレート記憶手段に登録して記憶させることにより、そのテンプレートを次回の新規プロジェクトのためのテンプレート作成にも利用することができるようになる。
【００１７】
また、請求項６に記載の発明は、請求項１〜請求項５のうち何れか一項に記載のプロジェクト構築支援プログラムにおいて、前記テンプレートは、該テンプレートに含まれる作業項目情報がＣＳＶファイル形式で定義されていることを特徴とする。
【００１８】
この発明によれば、テンプレートに含まれる作業項目情報は、編集作成が簡単にできるＣＳＶファイル形式で定義されているため、新規プロジェクトのためのテンプレート作成作業を容易に行うことができる。
【００１９】
また、プロジェクト構築支援システムに係る請求項７に記載の発明は、複数の作業項目情報を含んだテンプレートが作成されるプロジェクトの構築を支援するためのプロジェクト構築支援システムにおいて、複数のプロジェクトに各々対応した複数のテンプレートであって対応するプロジェクトに関する作業項目情報を各々含んでなる複数のテンプレートを、該各テンプレートが記憶されたテンプレート記憶手段から読み出すテンプレート読み出し手段と、該テンプレート読み出し手段により読み出された前記各テンプレートのうち少なくとも２つのテンプレートを入力手段の操作に基づく前記作業項目情報の加工処理を可能とする処理画面上に表示する処理画面表示手段と、該表示手段の前記処理画面上において前記入力手段の操作に従い前記少なくとも２つのテンプレートの各作業項目情報を利用した新規テンプレートを作成するテンプレート作成手段とを備えたことを特徴とする。そして、この発明によれば、請求項１に記載の発明と同様の作用効果を奏し得る。
【００２０】
また、請求項８に記載の発明は、請求項７に記載のプロジェクト構築支援システムにおいて、前記テンプレート読み出し手段により読み出された前記各テンプレートを前記処理画面とは異なる選択画面上に前記入力手段の操作に基づき選択可能とする表示態様で表示する選択画面表示手段と、該表示手段の前記選択画面上において前記入力手段の操作に基づき選択されたテンプレートを一時記憶手段に一時記憶させた後に該一時記憶手段から読み出して前記処理画面上に表示させる表示制御手段とを更に備えたことを特徴とする。そして、この発明によれば、請求項２に記載の発明と同様の作用効果を奏し得る。
【００２１】
また、請求項９に記載の発明は、請求項８に記載のプロジェクト構築支援システムにおいて、前記選択画面表示手段は、前記選択画面上に選択可能に表示された各テンプレートのうち前記入力手段の操作に基づき選択対象とされたテンプレートに含まれる作業項目情報を前記選択画面上に設けられたテンプレート詳細欄に表示可能とされ、前記表示制御手段は、前記選択対象とされたテンプレートが前記入力手段の操作に基づき選択確定のテンプレートとされた場合に、該テンプレートを前記処理画面上に貼り付け表示することを特徴とする。そして、この発明によれば、請求項３に記載の発明と同様の作用効果を奏し得る。
【００２２】
また、請求項１０に記載の発明は、請求項９に記載のプロジェクト構築支援システムにおいて、前記選択画面表示手段は、前記選択画面上の前記テンプレート詳細欄に前記テンプレートの作業項目情報を表示する場合、該テンプレートの作業項目情報を前記入力手段の操作に基づき加工処理可能とする表示態様で表示することを特徴とする。そして、この発明によれば、請求項４に記載の発明と同様の作用効果を奏し得る。
【００２３】
また、請求項１１に記載の発明は、請求項７〜請求項１０のうち何れか一項に記載のプロジェクト構築支援システムにおいて、前記画面上において前記入力手段の操作に基づく加工処理により新規に作成された新規テンプレートを前記入力手段の操作に基づき前記テンプレート記憶手段に登録するテンプレート登録手段として機能させることを特徴とする。そして、この発明によれば、請求項５に記載の発明と同様の作用効果を奏し得る。
【００２４】
また、請求項１２に記載の発明は、請求項７〜請求項１１のうち何れか一項に記載のプロジェクト構築支援システムにおいて、前記テンプレートは、該テンプレートに含まれる作業項目情報がＣＳＶファイル形式で定義されていることを特徴とする。そして、この発明によれば、請求項６に記載の発明と同様の作用効果を奏し得る。
【発明を実施するための最良の形態】
【００２５】
以下、本発明を具体化した一実施形態を図１〜図７に従って説明する。
図１に示すように、本実施形態のプロジェクト構築支援システム１１は、プロジェクト構築支援プログラムを実行するパーソナルコンピュータ等からなるプロジェクト管理装置１２と、該プロジェクト管理装置１２がプロジェクト構築支援プログラムを実行する際に使用する各種の情報を蓄積したプロジェクト情報蓄積データベース１３とを備えている。プロジェクト情報蓄積データベース１３は、テンプレートデータベース（ＤＢ）１４と、プロジェクトデータベース（ＤＢ）１５と、システムデータベース（ＤＢ）１６を有しており、それら各データベース（ＤＢ）１４〜１６はインターネットやイントラネット等の通信ネットワーク１７を介してプロジェクト管理装置１２に接続されている。なお、前記各データベース（ＤＢ）１４〜１６はプロジェクト管理装置１２の内部に格納された構成（すなわち、スタンドアローン版システム）とすることも可能である。
【００２６】
テンプレートデータベース（ＤＢ）１４には、過去における複数のプロジェクトに各々対応した複数のテンプレート（ＴｅｍｐＡ，ＴｅｍｐＢ，ＴｅｍｐＣ…）が蓄積記憶されており、この点でテンプレートデータベース（ＤＢ）１４はテンプレート記憶手段として機能している。図２に示すように、各テンプレートは対応するプロジェクトにおける複数の作業項目情報を含んでおり、それらの各作業項目情報がＣＳＶ（Comma Separated Values）ファイル形式で定義されている。
【００２７】
なお、ＣＳＶファイル形式とは、文字や文字コードがカンマにより区切られて管理されたファイル形式であり、例えば、エクセル、ワード、テキストエディター等の各ファイル形式の保存データを管理するものとして知られている。このように、エクセル等のファイル形式であるＣＳＶファイル形式は、コンピュータを使用しての文書作成・編集処理において、特別な知識・技術を持っていなくても、一般的な知識・技術を持っているならば、誰もが簡単に操作できるファイル管理形式である。そのため、このＣＳＶファイル形式でテンプレートに含まれる各作業項目情報をデータベースに蓄積管理しておけば、その蓄積管理された各種データを、プロジェクト管理装置１２を使用して簡単に加工処理することが可能となる。本実施形態では、こうしたＣＳＶファイル形式のうち、エクセルファイル形式でテンプレートの作業項目情報が記憶管理されている。
【００２８】
ここで、テンプレートの具体的内容について説明する。
例えば、図２に示すテンプレート（ＴｅｍｐＡ）は、Ｎｏ．１〜Ｎｏ．１０まで時系列的に並べられた１０の作業項目情報を含んでいる。そして、そのテーマ名の欄には、各作業項目名（「要件定義」〜「出荷」）がプロジェクト進行過程での実行順に設定されている。また、テーマ名の欄の右隣にはテーマ内容の欄が設けられ、そのテーマ内容の欄には、各作業項目の作業内容（「要件を定義する」〜「出荷する」）が作業項目毎に説明記載されている。
【００２９】
さらに、テーマ内容の欄の右隣にはオフセットの欄が設けられ、そのオフセットの欄には、最も重要な作業項目とされる「出荷」の実行期日を「０」とした場合における、その「出荷」という作業項目の実行期日に対する他の作業項目の実行期日のオフセット日数（相対的日数）が作業項目毎に設定されている。例えば、時系列的に最初に実行される「要件定義」という作業項目は「出荷」という作業項目が実行される期日よりも１２０日前の期日に開始される旨の設定がされている。また、時系列的に最後に実行される「データ照合」という作業項目は「出荷」という作業項目が実行された期日から５日後の期日に開始される旨の設定がされている。そして、オフセット欄の右隣には期間の欄が設けられ、この期間の欄には、各作業項目の実行にかかる所要日数（所要工数）が作業項目毎に設定されている。
【００３０】
また、プロジェクトデータベース（ＤＢ）１５にはテンプレートデータベース（ＤＢ）１４に記憶されている各テンプレート（ＴｅｍｐＡ，ＴｅｍｐＢ，ＴｅｍｐＣ…）と各別に対応する複数のプロジェクトに関するプロジェクト情報（ＰＪ１，ＰＪ２，ＰＪ３…）が蓄積記憶されている。なお、プロジェクト情報は、そのプロジェクトの運用開始期日、そのプロジェクトの管理責任者の氏名、そのプロジェクト用に作成されたテンプレートのテンプレート名などを含んだデータ構成をしている。
【００３１】
また、システムデータベース（ＤＢ）１６にはシステム使用者情報及び実稼動日情報等が蓄積記憶されている。すなわち、システム使用者情報は、プロジェクト管理装置１２を使用してプロジェクト構築支援システム１１を稼動させることが許可されている者の氏名等を含んだデータ構成をしている。また、実稼動日情報は、各テンプレートに含まれる各作業項目を実行する場合の実行期日を特定するためのカレンダー情報などを含んだデータ構成をしている。
【００３２】
一方、プロジェクト管理装置１２は、ＣＰＵ（Central Processing Unit）１８、ＲＯＭ（Read Only Memory）１９、ＲＡＭ（Random Access Memory）２０、ＨＤＤ（Hard Disk Drive）２１、グラフィック処理部２２、入力Ｉ／Ｆ２３、通信Ｉ／Ｆ２４等により構成され、これらがバス２５を介して相互に接続されている。ここで、ＣＰＵ１８は、ＲＯＭ１９やＨＤＤ２１等に格納されている各種のプログラム及びデータに基づき、プロジェクト構築支援システム１１全体を制御する。
【００３３】
ＲＯＭ１９には、プロジェクト管理装置１２の稼動時にＣＰＵ１８が実行する基本的なプログラムやデータが格納されている。また、ＲＡＭ２０には、ＣＰＵ１８が実行途中の各種プログラムや、演算途中のデータ等が記憶される。なお、ＲＡＭ２０の一部領域は、一時記憶手段として機能するクリップボード領域とされている。また、ＨＤＤ２１には、プロジェクト管理装置１２を稼動させるためのオペレーションプログラム、プロジェクト構築支援プログラムを含む各種のアプリケーションプログラム、及びその他各種のデータ等が格納されている。
【００３４】
グラフィック処理部２２には、表示装置としてのディスプレイ２７が接続されており、ディスプレイ２７はグラフィック処理部２２を介したＣＰＵ１８の表示制御に基づき各種の表示情報を表示部２７ａ上に表示する。また、入力Ｉ／Ｆ２３には、マウス２６ａ及びキーボード２６ｂ等からなる入力手段２６が接続されており、入力Ｉ／Ｆ２３はプロジェクト管理装置１２の使用者による入力手段２６の操作内容をＣＰＵ１８にバス２５を介して伝送する。さらに、通信Ｉ／Ｆ２４は、通信ネットワーク１７を介してプロジェクト情報蓄積データベース１３や他のユーザ端末２８と接続され、それらとの間で情報通信を行う。
【００３５】
次に、以上のように構成された本実施形態のプロジェクト構築支援システム１１におけるプロジェクト管理装置１２のＣＰＵ１８が実行する各制御処理のうちテンプレート作成処理ルーチンについて図４に示すフローチャートに基づき以下説明する。
【００３６】
さて、ＣＰＵ１８は、プロジェクト構築支援プログラムが立ち上げられると、ステップＳ１１において、ディスプレイ２７の表示部２７ａに入力画面（図示略）を表示させる。この入力画面は、プロジェクト管理装置１２の使用者に対して使用者ＩＤ等の使用者識別情報の入力を促す画面であって、この入力画面に使用者識別情報が入力されると、ＣＰＵ１８は、通信Ｉ／Ｆ２４及び通信ネットワーク１７を介してプロジェクト情報蓄積データベース１３のシステムデータベース（ＤＢ）１６からシステム使用者情報を取得する。
【００３７】
そして、ＣＰＵ１８は、ステップＳ１２において、入力画面に入力された使用者識別情報と、システムデータベース（ＤＢ）１６から取得したシステム使用者情報とを比較することにより、プロジェクト構築支援プログラムを立ち上げた今回の装置使用者が予め設定された本システムの使用許可者であるか否かを判定する。このステップＳ１２の判定結果が否定判定（ＮＯ）である場合、ＣＰＵ１８は、その装置使用者はプロジェクト管理装置１２を使用しての新規テンプレートの作成を許可された使用許可者でないと判断し、今回のテンプレート作成処理ルーチンを一旦終了する。
【００３８】
一方、ステップＳ１２の判定結果が肯定判定（ＹＥＳ）である場合、ＣＰＵ１８は、次のステップＳ１３に移行する。そして、ＣＰＵ１８は、通信Ｉ／Ｆ２４及び通信ネットワーク１７を介してプロジェクト情報蓄積データベース１３のテンプレートデータベース（ＤＢ）１４から該テンプレートデータベース（ＤＢ）１４に蓄積記憶されている過去における複数のプロジェクトに各々対応した複数のテンプレート（ＴｅｍｐＡ，ＴｅｍｐＢ，ＴｅｍｐＣ…）を読み出す。この点で、ＣＰＵ１８は、複数のテンプレートをテンプレート記憶手段としてのテンプレートデータベース（ＤＢ）１４から読み出すテンプレート読み出し手段として機能する。
【００３９】
そして、次のステップＳ１４において、ＣＰＵ１８は、読み出した複数のテンプレートをディスプレイ２７の表示部２７ａに表示させる。このとき、ディスプレイ２７の表示部２７ａには、図５に示す選択画面３０が表示される。この選択画面３０は、テンプレート編集ダイアログと名付けられた画面であり、その画面の中央上部にはプルダウン表示方式のテンプレート選択窓３１が設けられている。すなわち、ＣＰＵ１８によりテンプレートデータベース（ＤＢ）１４から読み出された複数のテンプレートは、テンプレート選択窓３１の右端に設けられたスクロールボタン３２がクリックされることによりマウス２６ａの操作に基づき選択対象として選択可能な表示態様に一覧表示される。この点で、ＣＰＵ１８は、テンプレートデータベース（ＤＢ）１４から読み出された複数のテンプレートを入力手段２６の操作に基づき選択可能とする表示態様で選択画面３０上に表示する選択画面表示手段として機能する。
【００４０】
また、図５に示すように、選択画面３０上においてテンプレート選択窓３１の下方にはテンプレート詳細欄３３が設けられている。このテンプレート詳細欄３３の中央上部には前記テンプレート選択窓３１においてクリック操作により選択対象として表示された一つのテンプレート（図５ではテンプレートＴｅｍｐＡ）の名称を表示するテンプレート名称窓３４が設けられている。そして、このテンプレート名称窓３４に選択対象として表示された一つのテンプレートに具体的に含まれる複数の作業項目情報が、テンプレート名称窓３４の下方に設けられた作業項目情報の表示領域に一覧表示されるようになっている。
【００４１】
さらに、図５に示すように、選択画面３０には、テンプレート詳細欄３３におけるテンプレートの作業項目情報の表示領域とテンプレート名称窓３４との間に、クリップボードへコピー（以下、「コピー」と略称する。）ボタン３５と、クリップボードから貼付け（以下、「貼付け」と略称する。）ボタン３６が横並びに設けられている。また、選択画面３０の上部においてテンプレート選択窓３１の右側には、新規ボタン３７と削除ボタン３８が横並びに設けられている。さらに、選択画面３０におけるテンプレート詳細欄３３の右下隅には保存ボタン３９が設けられている。
【００４２】
コピーボタン３５は、選択対象とされたテンプレートの内容（つまり、作業項目情報）をテンプレート詳細欄３３の表示により確認の上、そのテンプレートを新規テンプレートの作成に利用するテンプレートとして選択確定する場合にマウス２６ａの操作に基づいてクリックされるボタンである。このコピーボタン３５がクリック操作された場合、ＣＰＵ１８は、その時点でテンプレート詳細欄３３に表示されているテンプレートの内容を一時記憶手段として機能するクリップボードに一時記憶させるようになっている。
【００４３】
貼付けボタン３６は、クリップボードに一時記憶されているテンプレートの内容をテンプレート詳細欄３３に貼付ける場合にマウス２６ａの操作に基づいてクリックされるボタンである。この貼付けボタン３６がクリック操作された場合、ＣＰＵ１８は、その時点でクリップボードに一時記憶されているテンプレートの内容（作業項目情報）をテンプレート詳細欄３３におけるテンプレートの作業項目情報の表示領域に貼付け（上書き）表示させるようになっている。
【００４４】
また、新規ボタン３７は、テンプレート選択窓３１に一覧表示された各テンプレートを参考にすることなく、全く新規にテンプレート詳細欄３３において新規プロジェクト用のテンプレートを作成しようとする場合にマウス２６ａの操作に基づいてクリックされるボタンである。この新規ボタン３７がクリック操作された場合、ＣＰＵ１８は、テンプレート選択窓３１及びテンプレート名称窓３４を空白表示にさせると共に、テンプレート詳細欄３３の作業項目情報の表示領域を新規テンプレートのための作業項目情報の新規入力を促すべく空白状態に表示させるようになっている。
【００４５】
また、削除ボタン３８は、テンプレート選択窓３１に一覧表示された各テンプレートのうち今後において蓄積記憶しておくことが不要と判断されるテンプレートを削除する場合にマウス２６ａの操作に基づいてクリックされるボタンである。この削除ボタン３８がクリック操作された場合、ＣＰＵ１８は、その時点でテンプレート選択窓３１に選択状態で表示されているテンプレートをテンプレート選択窓３１から削除すると共に、その削除したテンプレートについてプロジェクト情報蓄積データベース１３のテンプレートデータベース（ＤＢ）１４から削除するようになっている。
【００４６】
また、保存ボタン３９は、選択画面３０のテンプレート詳細欄３３における表示内容によって作業項目情報が確認されたテンプレートを保存しようとする場合にマウス２６ａの操作に基づいてクリックされるボタンである。この保存ボタン３９がクリック操作されると、ＣＰＵ１８は、その時点でテンプレート詳細欄３３に表示されているテンプレートをプロジェクト情報蓄積データベース１３のテンプレートデータベース（ＤＢ）１４に新規テンプレートとして蓄積記憶するようになっている。なお、この場合、新規テンプレートはテンプレート名称窓３４に名称を特定する入力がなされた後、テンプレートデータベース（ＤＢ）１４に蓄積記憶される。
【００４７】
再び図４のフローチャートに戻り、ステップＳ１４において、テンプレート詳細欄３３に表示された一つのテンプレートが、コピーボタン３５のクリック操作により選択確定のテンプレートとされると、ステップＳ１５において、ＣＰＵ１８は、その選択確定されたテンプレートをクリップボードに一時記憶させる。そして、次のステップＳ１６で、ＣＰＵ１８は、ディスプレイ２７の表示部２７ａに、図５に示した選択画面３０とは画面態様が異なる図６に示すような処理画面４０を表示させ、続けてステップＳ１７において、該処理画面４０上にクリップボードに一時記憶されている選択確定のテンプレートを貼付け表示する。また、その状態において、入力手段２６により画面切替えの操作がなされた場合（ステップＳ１８でＹＥＳの場合）、ＣＰＵ１８は、その処理をステップＳ１４に戻して再び選択画面３０をディスプレイ２７の表示部２７ａに表示する。そして、以後、ステップＳ１４〜ステップＳ１８までの処理を繰り返す。
【００４８】
ここで、本実施形態の場合、処理画面４０はエクセル画面であって、エクセルファイル形式で管理されたデータが表示されるようになっている。したがって、この処理画面４０上に表示されたデータ、すなわち選択画面３０上からクリップボードを介して貼付け表示されたテンプレートは入力手段２６の操作により作業項目情報の加工処理が可能となる。この点で、ＣＰＵ１８は、テンプレートデータベース（ＤＢ）１４から読み出したテンプレートを入力手段２６の操作に基づき作業項目情報の加工処理を可能とする表示態様で表示する処理画面表示手段として機能している。また、選択画面３０上において入力手段２６の操作に基づき選択されたテンプレートをクリップボードに一時記憶させた後に読み出して処理画面４０上に表示させている点で表示制御手段としても機能している。
【００４９】
図６に示す処理画面４０は、３つのエクセルファイル４１，４２，４３が同じ画面上に同時に且つ一覧可能に表示された表示例を示している。この場合、画面上で左上のエクセルファイル４１は選択画面３０を介して新規テンプレートの作成に利用するために選択されたテンプレートＴｅｍｐＡ（図２に示したテンプレート）であり、画面上で右上のエクセルファイル４２は同じく選択画面３０を介して選択されたテンプレートＴｅｍｐＢである。また、両エクセルファイル４１，４２の下に表示されているエクセルファイル４３は、これら２つのエクセルファイル４１，４２により作業項目情報が具体的に表示された２つのテンプレートＴｅｍｐＡ，ＴｅｍｐＢを利用して作成された新規テンプレートである。
【００５０】
ここで、エクセルファイル４１のテンプレートＴｅｍｐＡと、エクセルファイル４２のテンプレートＴｅｍｐＢとを比較すると、両者は、それぞれ１０個の作業項目からなる点で一致しているものの、以下の点で相違している。すなわち、テンプレートＴｅｍｐＡは、その最後の作業項目として「データ照合」というテンプレートＴｅｍｐＢには含まれていない作業項目を設定している一方、テンプレートＴｅｍｐＢは、その最初の作業項目として「顧客との契約」というテンプレートＴｅｍｐＡには含まれていない作業項目を設定している点で互いに相違している。そして、エクセルファイル４３の新規テンプレートは、これらの２つの選択されたテンプレートＴｅｍｐＡ，ＴｅｍｐＢから今回のプロジェクト用の新規テンプレートの作成に利用すべくコピー（又は切り取り）されると共に新規に追加された複数（図６では１２個）の作業項目情報により構成されている。
【００５１】
なお、エクセル画面の処理画面４０上では入力手段２６のキーボード２６ｂからの文字入力によりデータ内容の変更・追加が可能であることから、選択した２つのテンプレートＴｅｍｐＡ，ＴｅｍｐＢに含まれていない新たな作業項目情報（図６の事例では「反省会」という作業項目情報）を追加することにより作業項目情報を増やした新規テンプレートを作成することも可能である。この場合、作業項目情報の追加は手入力に依存することになるが、それ以外の作業項目情報は処理画面４０上に貼付け表示した２つのテンプレートから必要に応じてコピー等することで対応しているので、新規テンプレートの作成作業全体としてみれば作業効率は低下しない。このように処理画面４０上では入力手段２６の操作に基づき新規テンプレートの作成が行われる。したがって、この点で、ＣＰＵ１８は、処理画面４０上において入力手段２６の操作に基づき少なくとも２つのテンプレートの各作業項目情報を利用した新規テンプレートを作成するテンプレート作成手段として機能している。
【００５２】
そして、ステップＳ１８において、予め設定した判定待ち時間を経過しても画面切替えの操作がない場合（ステップＳ１８でＮＯの場合）、ＣＰＵ１８は、その処理をステップＳ１９に移行し、処理画面４０上で作成した新規テンプレート（作成テンプレート）をクリップボードに一時記憶させる。そして同時に、ディスプレイ２７の表示部２７ａにおける画面表示を処理画面４０から選択画面３０に切替え、貼付けボタン３６がクリック操作された場合に、図７に示すように、その選択画面３０のテンプレート詳細欄３３に対して新規テンプレートを貼付け表示する。
【００５３】
こうして処理画面４０で過去の複数のテンプレートを利用して作成された新規テンプレートが選択画面３０に表示されると、ＣＰＵ１８は、その選択画面３０上のテンプレート選択窓３１及びテンプレート名称窓３４に、その表示されたテンプレートが新規に作成されたものであることを示す「新規」という文字と、作成日時を表示する。そして、それらの各窓３１，３４に新規テンプレートを特定する名称が入力手段２６の操作に基づき入力された後において、保存ボタン３９がクリック操作されると、ＣＰＵ１８は、ステップＳ２０において、その新規テンプレートをプロジェクト情報蓄積データベース１３のテンプレートデータベース（ＤＢ）１４に新規テンプレートとして蓄積記憶する。したがって、この点で、ＣＰＵ１８は、画面上での入力手段２６の操作に基づく加工処理により新規に作成されたテンプレートをテンプレートデータベース（ＤＢ）１４に登録するテンプレート登録手段として機能している。そして、このステップＳ２０の処理が終了すると、ＣＰＵ１８は、本ルーチンを終了する。
【００５４】
そこで次に、以上のように構成されたプロジェクト構築支援システム１１において前記プロジェクト管理装置１２にプロジェクト構築支援プログラムを実行させてプロジェクトの新規テンプレートを作成する場合の作用について説明する。
【００５５】
さて、新規プロジェクト用のテンプレートを作成するためにプロジェクト管理装置１２でプロジェクト構築支援プログラムを立ち上げた場合、その装置を立ち上げた装置使用者は使用者ＩＤ等の使用者識別情報の入力を促される。その際、その装置使用者が入力画面に入力した使用者識別情報がシステムデータベース（ＤＢ）１６のシステム使用者情報と不一致であると、プロジェクト管理装置１２はプロジェクト構築支援プログラムをダウンさせる。そのため、機密情報等を含むことのあるプロジェクトのテンプレートが無許可で変更されたり、削除されたりするという不具合が抑制される。
【００５６】
その装置使用者が使用許可者である場合、その装置使用者はプロジェクト管理装置１２を使用して以下の手順により新規テンプレートを作成することができる。すなわち、まず装置使用者は入力手段２６を操作してディスプレイ２７の表示部２７ａに選択画面３０を表示させ、その選択画面３０のテンプレート選択窓３１に一覧表示された複数のテンプレートの中から今回の新規テンプレートの作成に利用できると思われるテンプレートを選択する。その際、選択画面３０のテンプレート詳細欄３３には、選択対象となっているテンプレートに含まれる作業項目情報の詳細が表示されるので、装置使用者は真に利用価値の高いテンプレートを内容確認しながら選択できる。
【００５７】
そして、内容確認により選択確定しようと判断したテンプレートがある場合には、選択画面３０上のコピーボタン３５をクリック操作すると、ディスプレイ２７の表示部２７ａの画面表示が選択画面３０からエクセル画面である処理画面４０に切替わる。そして、その切替わった処理画面４０上に選択画面３０上において選択確定した選択テンプレートが貼付け表示される。そして、画面表示を入力手段２６の操作に基づいて処理画面４０から選択画面３０に切替えた後、再び新規テンプレートの作成に利用可能な別のテンプレートを選択し、その選択した別のテンプレートを処理画面４０上に先の選択テンプレートと同様に貼付け表示する。
【００５８】
このようにして少なくとも２つの選択テンプレートが処理画面４０上に貼付け表示されると、次には各選択テンプレートに含まれる各作業項目情報のうち新規テンプレート用に複写して使用できる作業項目情報が各選択テンプレートから個々別々にコピー・切り取りなどされて新規テンプレートが作成される。この場合、コピーや切り取りによりデータを貼付けるという作業は簡単な操作で行えるため、新規テンプレートの作成効率は最初から全ての作業項目情報を手入力で作成する場合に比して飛躍的に向上する。また、コピー元となる選択テンプレートは一つではなく、同一画面上に比較可能に表示された複数の選択テンプレートから各々コピーしたいと思う情報が、いわゆる「おいしいとこ取り」の取得態様でコピーなどされる。そのため、コピー元または変更対象となる選択テンプレートが一つとされた場合に比しても、新規テンプレートの作成効率は向上する。
【００５９】
また、処理画面４０上での新規テンプレートの作成にあたり、選択テンプレートからの作業項目情報の取得は、エクセルファイルの加工処理における一般的な文書作成・編集処理の技術を使用して行われる。そのため、例えばプロジェクト管理装置１２に通信ネットワーク１７を介して接続されたユーザ端末２８に加工処理用データを転送し、そのユーザ端末２８において立ち上げたエクセル画面上で新規テンプレートの作成を行うことも可能となる。
【００６０】
そして、処理画面４０上で複数の選択テンプレートを利用した新規テンプレートが作成されると、その作成テンプレート（新規テンプレート）は選択画面３０上に表示された後に保存ボタン３９がクリック操作されて、テンプレートデータベース（ＤＢ）１４に新規登録される。そして、そのようにして新規登録されたテンプレートは以後における更なる新規テンプレートの作成時に選択対象として利用される。
【００６１】
したがって、本実施形態では、以下に示す効果を得ることができる。
（１）エクセル画面の処理画面４０上に複数の選択テンプレートが入力手段２６の操作に基づく加工処理を可能とする表示態様で表示されるため、それらの選択テンプレートの各作業項目情報を利用して、今回のプロジェクトに適合した作業項目情報を含んだ新規テンプレートを簡便に作成することができる。したがって、プロジェクトの構築に際しての新規テンプレートの作成をコンピュータとしてのプロジェクト管理装置１２の利用により効率よく行うことができ、プロジェクトの構築を容易になし得る。
【００６２】
（２）テンプレートデータベース（ＤＢ）１４から読み出された複数のテンプレートはディスプレイ２７の選択画面３０に入力手段２６の操作に基づき選択可能な表示態様にて一覧表示され、そのように一覧表示された各テンプレートの中から処理画面４０に貼付け表示する選択テンプレートを選択できる。したがって、新規テンプレートの作成に利用可能なテンプレートを選択画面３０上での選択により絞り込んだ上で、処理画面４０に貼付け表示することにより、新規テンプレートの作成効率を向上することができる。
【００６３】
（３）しかも、選択画面３０上に選択可能に表示された各テンプレートのうち入力手段２６の操作に基づき選択対象とされたテンプレートの作業項目情報はテンプレート詳細欄３３に表示されるため、その具体的内容を確認した上で選択確定することができる。したがって、新規テンプレートの作成に利用するテンプレートを、そのテンプレートの作業項目情報を確認した上で、処理画面上に表示させることができるので、今回のプロジェクトに係る新規テンプレートの作成に利用価値の高いテンプレートを効率よく選択できる。
【００６４】
（４）一方、選択画面３０上で選択対象としたテンプレートの作業項目情報を確認したところ、入力手段２６の操作に基づく少しの手入力による加工処理で新規テンプレートを作成できるような場合には、その選択画面３０上において即座に且つ簡便に新規テンプレートの作成をすますことができる。
【００６５】
（５）処理画面４０上で複数の選択テンプレートを利用した新規テンプレートの作成をした場合、その作成テンプレート（新規テンプレート）については、これを選択画面３０上に一旦貼付け表示した後に保存操作をすることにより、次回以降の新規テンプレートの作成時に選択テンプレートとして利用することができるようになる。
【００６６】
（６）また、テンプレートに含まれる作業項目情報は、編集作成が簡単にできるＣＳＶファイル形式で定義されているため、処理画面４０上での新規テンプレートの作成作業を特別な文書作成・編集処理の技術を知らなくても容易に行うことができる。
【００６７】
なお、上記実施形態は以下のような別の実施形態に変更してもよい。
・上記実施形態において、テンプレートの作業項目情報を管理するファイル形式はエクセルファイル形式以外でもよい。要するに編集処理が簡便なＣＳＶファイル形式を保存データの形式とするものならば、例えばワード形式、テキストエディター形式などの他のファイル形式でもよい。さらには、ＣＳＶファイル形式以外のファイル形式でテンプレートの作業項目情報を管理するものであってもよい。
【００６８】
・上記実施形態において、複数の選択テンプレートを元に作成した新規テンプレートをテンプレートデータベース（ＤＢ）１４に登録する場合に、選択画面３０への貼付け及び保存ボタン３９のクリック操作を経ることなく、処理画面４０上からエクセルのファイル保存処理により直接にテンプレートデータベース（ＤＢ）１４に登録してもよい。
【００６９】
・上記実施形態において、選択画面３０上からテンプレートデータベース（ＤＢ）１４への登録処理に際しては、保存ボタン３９のクリック操作によらず、例えばマウス２６ａの右クリックなど他の保存操作に基づき行ってもよい。
【００７０】
・上記実施形態において、選択画面３０のテンプレート詳細欄３３における作業項目の表示領域では、その表示領域においてデータの加工処理が入力手段２６の操作によってはできず、その表示領域に表示されたテンプレートの作業項目情報を内容確認できるだけであってもよい。
【００７１】
・上記実施形態において、選択画面３０から処理画面４０への選択テンプレートの貼付け表示は、クリップボードへコピーボタン３５によらず、例えば、範囲指定した状態でのマウス２６ａの右クリック操作などに基づき行ってもよい。
【００７２】
・上記実施形態において、選択画面３０上においては、テンプレート選択窓３１に選択可能に一覧表示されるならば、選択対象としたテンプレートの作業項目情報を、必ずしもテンプレート詳細欄３３に具体的に表示する必要はない。
【００７３】
・上記実施形態において、テンプレートデータベース（ＤＢ）１４から読み出した複数のテンプレートについては、選択画面３０上に選択可能に表示することなく、そのままで処理画面４０上に直接に貼付け表示するようにしてもよい。
【００７４】
・上記実施形態において、新規テンプレートの作成に利用するため、処理画面４０上に貼付け表示するテンプレートの数は少なくとも２つあればよく、２つ以外に３つあるいは４つ以上の複数でもよい。
【００７５】
・上記実施形態において、新規テンプレートの作成に利用する選択テンプレートを読み出す読み出し先（すなわち、過去における複数のテンプレートを蓄積記憶している媒体）は、テンプレートデータベース（ＤＢ）１４のように通信ネットワーク１７を介してプロジェクト管理装置１２に接続された記憶手段に限らない。例えば、ＣＤ−ＲＯＭやＦＤ等のようにプロジェクト管理装置に設けられた媒体挿入口に必要に応じて挿入される小型の記録媒体であってもよい。
【００７６】
・上記実施形態において、プロジェクト管理装置１２はパーソナルコンピュータに限定されず、据置型の大型のホストコンピュータなどであってもよい。
【図面の簡単な説明】
【００７７】
【図１】本実施形態におけるプロジェクト構築支援システムの概略構成図。
【図２】プロジェクト管理装置のハードウェア構成図。
【図３】テンプレートに含まれる作業項目情報の一例を示す説明図。
【図４】テンプレート作成処理ルーチンを示すフローチャート。
【図５】選択テンプレートが表示された選択画面を示す図。
【図６】選択テンプレート及び新規テンプレートが表示された処理画面を示す図。
【図７】新規テンプレートが表示された選択画面を示す図。
【符号の説明】
【００７８】
１１…プロジェクト構築支援システム、１２…コンピュータとしてのプロジェクト管理装置、１４…テンプレート記憶手段としてのテンプレートデータベース（ＤＢ）、１８…テンプレート読み出し手段、処理画面表示手段、テンプレート作成手段、選択画面表示手段、表示制御手段、及びテンプレート登録手段としてのＣＰＵ、２０…一時記憶手段としてのクリップボードが一部領域を構成するＲＡＭ、２６…入力手段、３０…選択画面、３３…テンプレート詳細欄、４０…処理画面、ＴｅｍｐＡ，ＴｅｍｐＢ…テンプレート。
【図１】
2009003771.tif 000003
【図２】
2009003771.tif 000004
【図３】
2009003771.tif 000005
【図４】
2009003771.tif 000006
【図５】
2009003771.tif 000007
【図６】
2009003771.tif 000008
【図７】
2009003771.tif 000009